(57)【要約】【課題】  静電アクチュエータの可動子の移動による、レンズ群の移動に際して画像がぶれず、円滑なフォーカシングやズーミングを可能とし、更に、単一の可動子で複数のレンズ群を、同時且つ個々に独立して自由に移動させがことができる光学装置を得る。【解決手段】  被写体光を導く光学系と、光学系を光軸方向に移動させる静電アクチュエータと、を有する光学装置において、静電アクチュエータを構成する可動子にカム部を形成し、光学系に、カム部と係合する係合部を一体的に形成した光学装置とする。【選択図】        図１
2005249814.tif 000002
【特許請求の範囲】
【請求項１】
被写体光を導く光学系と、該光学系を光軸方向に移動させる静電アクチュエータと、を有する光学装置において、
前記静電アクチュエータを構成する可動子にカム部を形成し、
前記光学系に、前記カム部と係合する係合部を一体的に形成したことを特徴とする光学装置。
【請求項２】
前記静電アクチュエータは、所定の間隔で配置される第１の電極を有する固定子及び第２の電極を有する固定子と、前記固定子間に配置され、前記第１の電極並びに第２の電極に相対する面に電極部を備え、所定方向に移動可能な可動子を有するものであることを特徴とする請求項１に記載の光学装置。
【請求項３】
前記カム部の底面は、前記可動子の前記固定子間での振動に際し、前記係合部の下端面と干渉しないよう形成されていることを特徴とする請求項１又は２に記載の光学装置。
【請求項４】
前記光学系は、光軸方向に独立して移動する、少なくとも２つのレンズ群で構成された光学系であることを特徴とする請求項１〜３のいずれか１項に記載の光学装置。
【請求項５】
前記静電アクチュエータの固定子に、前記光学系の直進案内部の一部を形成したことを特徴とする請求項１〜４のいずれか１項に記載の光学装置。
【請求項６】
請求項１〜５のいずれか１項に記載の光学装置を備えた撮像装置。
【請求項７】
請求項１〜５のいずれか１項に記載の光学装置を備えたファインダ。
【発明の詳細な説明】
【技術分野】
【０００１】
本発明は光学装置、詳しくは静電気力を利用した静電アクチュエータを用い、光学系を光軸方向に移動可能に構成した光学装置に関するものである。
【背景技術】
【０００２】
近年、固体撮像素子により被写体画像を撮影する撮像装置が、携帯電話機やＰＤＡ（Ｐｅｒｓｏｎａｌ  Ｄｉｇｉｔａｌ  Ａｓｓｉｓｔａｎｔ）等の小型、薄型の携帯端末に搭載されるようになり、これにより遠隔地へ音声情報だけでなく画像情報も相互に伝送することが可能となっている。これらの撮像装置は、携帯端末に内蔵可能とするために、極めて小型薄型に構成することが要求されている。
【０００３】
一方、これらの撮像装置は普及率の向上に伴い、より高機能化が目指され、撮像光学系を固定して深い被写界深度を利用したパンフォーカス撮影のみならず、撮像光学系を移動させ自動焦点調節による撮影（ＡＦ撮影）や可変焦点距離光学系（ズーム光学系）の搭載が要望されている。
【０００４】
これらの小型化、高機能化の要望に対し、光学系を個々に直接的に移動させることの可能なアクチュエータとして、静電アクチュエータを用いた光学装置が種々提案されている。
【０００５】
例えば、静電アクチュエータを用いた光学装置で、電極部を有する一対の固定子と、この固定子間に配置され、光学素子が取り付けられた複数の可動子を、独立して光軸方向に移動可能としたものが開示されている（例えば、特許文献１参照）。
【特許文献１】特開２００２−１９９７４７号公報
【発明の開示】
【発明が解決しようとする課題】
【０００６】
上述の特許文献１に記載の静電アクチュエータ及び駆動方法を用いた光学装置は、以下のような欠点がある。
【０００７】
特許文献１に記載されているようなレンズ位置の移動制御をおこなう場合、ワイド端から中間画角へのズーミング時には、物体側に配置されたレンズ群（以下、前群とも称す）は後退させ、像面側に配置されたレンズ群（以下、後群とも称す）は前進させる必要があり、逆に中間画角からワイド方向へのズーミング時には、前群は前進させ、後群は後退させなくてはならず、一方を停止させた状態で他方を移動させる必要があり、制御が複雑化することに加え、円滑なズーミング動作ができないという問題がある。
【０００８】
また、この解決策として、前後群を同時に独立して移動させるため、それぞれの群に対応して２種の独立した固定子を設けると、部品点数の増加と共にスイッチング回路等も増加させる必要があり、コスト増となる欠点がある。
【０００９】
更に、可動子は両側面に配置された固定子間を振動しつつ光軸方向に移動するため、可動子内に配置されたレンズ群も同様に振動しつつ光軸方向に移動する。このため、デジタルカメラ、ビデオカメラ或いは携帯端末に内蔵された撮像装置等で一般的に使用されている、ＬＣＤ等の表示装置をファインダとして用いる時のプレビュー画像も、ズーミング時に振動方向にぶれつつ変倍し、円滑なズーミング画像とならない欠点がある。またこの問題は、フォーカシング時或いは光学ファインダに用いた時にも同様の欠点となる。
【００１０】
本発明は上記問題に鑑み、静電アクチュエータの可動子の移動による、レンズ群の移動に際して画像がぶれず、円滑なフォーカシングやズーミングを可能とし、更に、単一の可動子で複数のレンズ群を、同時且つ個々に独立して自由に移動させることができる光学装置を得ることを目的とするものである。
【課題を解決するための手段】
【００１１】
上記の課題は、以下の構成で解決される。
【００１２】
１）  被写体光を導く光学系と、該光学系を光軸方向に移動させる静電アクチュエータと、を有する光学装置において、前記静電アクチュエータを構成する可動子にカム部を形成し、前記光学系に、前記カム部と係合する係合部を一体的に形成したことを特徴とする光学装置。
【００１３】
２）  前記静電アクチュエータは、所定の間隔で配置される第１の電極を有する固定子及び第２の電極を有する固定子と、前記固定子間に配置され、前記第１の電極並びに第２の電極に相対する面に電極部を備え、所定方向に移動可能な可動子を有するものである１）の光学装置。
【００１４】
３）  前記カム部の底面は、前記可動子の前記固定子間での振動に際し、前記係合部の下端面と干渉しないよう形成されている１）又は２）の光学装置。
【００１５】
４）  前記光学系は、光軸方向に独立して移動する、少なくとも２つのレンズ群で構成された光学系である１）〜３）のいずれかの光学装置。
【００１６】
５）  前記静電アクチュエータの固定子に、前記光学系の直進案内部の一部を形成した１）〜４）のいずれかの光学装置。
【００１７】
６）  １）〜５）のいずれかの光学装置を備えた撮像装置。
【００１８】
７）  １）〜５）のいずれかの光学装置を備えたファインダ。
【発明の効果】
【００１９】
本発明によれば、カム部を有する可動子の移動による、レンズ群の移動に際して画像がぶれず、円滑なフォーカシングやズーミングを可能とし、更に、単一の可動子で複数のレンズ群を、同時且つ個々に独立して自由に移動させることができる光学装置を得ることが可能となる。
【００２０】
また、固定子が直進案内部の一部を担うことで、低コスト化及び小型化した光学装置をが得られる。
【００２１】
更に、この光学装置を備えることにより、上記の効果を有する撮像装置を得ることができる。また、撮影レンズとの機械的連動機構が不要となり、撮像装置内で自由なレイアウトの可能なファインダを得ることができる。
【発明を実施するための最良の形態】
【００２２】
以下、実施の形態により本発明を詳しく説明するが、本発明はこれに限定されるものではない。
【００２３】
図１は、本発明に係る光学装置を備えた撮像装置１００の概略構成を示す斜視図である。同図は、本発明に係る光学装置を備えた撮像装置１００の主要部を抜き出して描いたものであり、各部材を保持する筐体等は省略して示している。
【００２４】
同図において、１１は第１レンズ、１２は第２レンズである。１３は撮像素子であり例えばＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子である。１４はプリント基板であり、撮像素子１３が実装されると共に、撮像素子１３の駆動用電子部品が実装されており、フレキシブルプリント基板１９が接続されて、撮像素子１３から出力される光電変換信号に所望の処理を施した後、他のプリント基板へ送出するようになっている。
【００２５】
第１レンズ１１、第２レンズ１２には、それぞれガイド筒１１ｇ及び１２ｇが一体的に形成されており、このガイド筒１１ｇ及び１２ｇには、それぞれピン１１ｐ及び１２ｐが一体的に形成されている。更に、ガイド筒１１ｇ及び１２ｇには、光軸Ｏに略平行にガイド軸１５が貫通して組み付けられる。このガイド軸１５とガイド筒１１ｇ及び１２ｇは嵌合され、ガイド軸１５に沿って、即ち、光軸方向に独立して滑らかに移動することが可能となされている。
【００２６】
１６及び１８は静電アクチュエータの固定子であり、ガラスまたはセラミックス等の絶縁体からなる基板上にスパッタリング等の手法により導電体被膜を形成することで作成される。また、形成された導電体被膜上には絶縁体被膜を設けることが好ましい。この固定子１６及び１８の間に可動子１７が配置されている。可動子１７は、導電性を有する材料で形成されており、例えば、特開２００３−２８４３５９号公報に記載の気相成長炭素繊維（ＶＧＣＳ）とＰＰＳ（ポリフェニレンスルフィド）等の熱可塑性樹脂と溶融混練してなる樹脂組成物で成形した導電性樹脂等で形成されるのが、軽量で安価なため望ましい。
【００２７】
固定子１６には、光軸Ｏ及びガイド軸１５に略平行に長孔１６ｋが形成されており、ピン１１ｐ及び１２ｐは、この長孔１６ｋを貫通して、後述の可動子１７に形成されたカム部に係合している。この長孔１６ｋの幅は、ピン１１ｐ及び１２ｐと嵌合するよう形成されており、ガイド軸１５と長孔１６ｋにより、第１レンズ１及び第２レンズ２は、光軸周りに揺動することなく、光軸方向に滑らかに移動可能なように構成されている。
【００２８】
図２は、本発明に係る光学装置を備えた撮像装置１００の概略断面図である。なお、以下に使用する図においては、説明の重複を避けるため、同部材に同符号を付与してある。
【００２９】
同図に示すように撮像装置１００は、筐体４１に撮像素子１３が実装されたプリント基板１４及び固定子１６、１８が固着されており、更に、筐体４１と蓋部材４２によりガイド軸１５が固定されている。蓋部材４２には、第１レンズ１に被写体光束を入射させるための開口部４２ｋが形成されている。
【００３０】
更に、第１レンズ１１、第２レンズ１２と一体的に形成されたピン１１ｐ及び１２ｐは、固定子１６に形成された長孔１６ｋを貫通して、可動子１７に形成されたカム部１７ｎ、１７ｍにそれぞれ係合している。可動子１７は、カム部と係合する係合部であるピン１１ｐ及び１２ｐと係合した状態で、固定子１６と１８で形成された空間内で、固定子１６と１８に交互に吸着されて、図示上下方向に振動しつつ紙面表裏方向に移動するよう構成されている。
【００３１】
なお、可動子１７のカム部１７ｎと１７ｍの深さは、可動子１７が固定子１６、１８間で振動（図示上下方向）してもピン１１ｐ及び１２ｐの下端面と干渉しないように充分な深さに形成されている。これにより、可動子１７が振動しても第１レンズ１１及び第２レンズ１２は図示上下方向に振動することはない。また可動子１７の図示左右方向の幅は、筐体４１と嵌合しており、図示上下方向の振動と紙面表裏方向への移動のみが可能となっている。なお、図２においては、可動子１７が筐体４１と嵌合していることをわかりやすくするため、可動子１７の図示左右方向の両側と筐体４１の間の隙間を誇張して図示してある。
【００３２】
図３は、本発明に係る光学装置に使用される静電アクチュエータ部分の分解斜視図である。
【００３３】
同図に示すように、可動子１７の固定子１６側の面には、カム部１７ｎ、１７ｍが形成され、且つ、このカム部を避けた位置に可動子電極部１７ｄが形成されている。可動子電極部１７ｄは、図示のごとく、可動子１７の移動方向（矢印で示す方向）と平行な複数の凸部で形成されている。また、可動子１７の固定子１８側の面には、可動子電極部１７ｆが形成されている。可動子電極部１７ｆは、可動子１７の移動方向と垂直な方向に複数の凸部で形成されている。なお、この可動子電極部１７ｄ、１７ｆの突出量は、微小であり、説明のため誇張して示してある。なお、図示していないが、可動子１７には電荷を取り除くための配線が接続される。
【００３４】
固定子１６の可動子１７と相対する面には、破線で示すように可動子電極部１７ｄの凸部に対応して、第１の電極である、電極Ｋが形成されており、これらの電極Ｋは一系統の電極パッドＫに接続されている。以下、この電極Ｋを保持電極と称す。
【００３５】
固定子１８の可動子１７と相対する面には、可動子電極部１７ｆの配列に対応して、移動方向に垂直な方向にストライプ状に、第２の電極である、４系統の電極Ａ、電極Ｂ、電極Ｃ、電極Ｄが交互に形成されており、電極Ａは電極パッドＡに、電極Ｂは電極パッドＢに、電極Ｃは電極パッドＣに、電極Ｄは電極パッドＤに接続されている。この４系統の電極Ａ〜Ｄは、後述のように、順次切り替えて電圧を印加することにより可動子１７を移動させるために用いられる。このストライプ状の電極の配列ピッチをＰとすると、図示のごとく可動子電極部１７ｆの凸部のピッチは４Ｐとなるよう形成されている。以下、この電極Ａ〜Ｄを駆動電極と称す。
【００３６】
駆動電極Ａ〜Ｄ及び保持電極Ｋには、各電極に選択的に電圧を印加する不図示のスイッチング回路が接続され、スイッチング回路には電源が接続される。
【００３７】
これにより、第１レンズ１１、第２レンズ１２と一体的に形成されたピン１１ｐ及び１２ｐを、カム部１７ｎ、１７ｍにそれぞれ係合させ、各電極に選択的に電圧を印加して可動子１７を矢印方向に移動させることにより、ガイド軸１５と共に、長孔１６ｋは直進案内部の一部として機能し、第１レンズ１１、第２レンズ１２は長孔１６ｋの長手方向に移動する。
【００３８】
図４は、固定子１８に形成された駆動電極Ａ〜Ｄ、固定子１６に形成された保持電極Ｋにより、可動子１７を駆動させる場合のシーケンスを示すタイムチャートである。同図を用い可動子１７の移動制御について説明する。
【００３９】
同図において、時間ｔ０〜ｔ１の時、保持電極Ｋに電圧が印加され可動子１７の可動子電極１７ｄ側が固定子１６に吸着され、可動子電極１７ｆ側の凸部は、それぞれ固定子１８の駆動電極ＣとＤに対応する位置にある状態とする。
【００４０】
ｔ１で保持電極Ｋへの電圧印加を停止し、駆動電極Ｂ、Ｃに電圧を印加する。これにより、可動子１７は、固定子１６との吸着力を失い、固定子１８の駆動電極Ｂ、Ｃに吸着され、駆動電極１ピッチ分だけ、図３に示す矢印の右方向に移動する。
【００４１】
次いで、ｔ２で駆動電極Ｂ、Ｃへの電圧印加を停止し、保持電極Ｋに電圧を印加する。可動子１７は固定子１８との吸引力を失い、その位置で固定子１６の保持電極Ｋ側に吸引される。
【００４２】
次いで、ｔ３で保持電極Ｋへの電圧印加を停止し、駆動電極Ａ、Ｂに電圧を印加する。これにより、可動子１７は、固定子１６の保持電極Ｋとの吸着力を失い、固定子１８の駆動電極Ａ、Ｂに吸着され、更に駆動電極１ピッチ分だけ、図３に示す矢印の右方向に移動する。
【００４３】
更に、ｔ４で駆動電極Ａ、Ｂへの電圧印加を停止し、保持電極Ｋに電圧を印加、ｔ５で保持電極Ｋへの電圧印加を停止し、駆動電極Ａ、Ｄに電圧を印加、ｔ６で駆動電極Ａ、Ｄへの電圧印加を停止し、保持電極Ｋに電圧を印加、ｔ７で保持電極Ｋへの電圧印加を停止し、駆動電極Ｃ、Ｄに電圧を印加、ｔ８で駆動電極Ｃ、Ｄへの電圧印加を停止し、保持電極Ｋに電圧を印加、ｔ９で保持電極Ｋへの電圧印加を停止し、駆動電極Ｂ、Ｃに電圧を印加、ｔ１０で駆動電極Ｂ、Ｃへの電圧印加を停止し、保持電極Ｋに電圧を印加というようにスイッチング回路を制御することにより、可動子１７を、駆動電極１ピッチ（図示Ｐ）ずつ順次図３に示す矢印の右方向に移動させることができる。
【００４４】
また、可動子１７を上記と逆方向（図３に示す矢印の左方向）に移動させるには、駆動電極Ａ〜Ｄへの電圧印加を逆の順序でおこなうことで移動させることができる。
【００４５】
例えば、前述のｔ１０の状態から、可動子１７を逆方向に移動させるには、ｔ１１で保持電極Ｋへの電圧印加を停止し、駆動電極Ｃ、Ｄに電圧印加、ｔ１２で駆動電極Ｃ、Ｄへの電圧印加を停止し、保持電極Ｋに電圧印加、ｔ１３で保持電極Ｋへの電圧印加を停止し、駆動電極Ａ、Ｄに電圧印加、ｔ１４で駆動電極Ａ、Ｄへの電圧印加を停止し、保持電極Ｋに電圧印加、ｔ１５で保持電極Ｋへの電圧印加を停止し、駆動電極Ａ、Ｂに電圧印加、ｔ１６で駆動電極Ａ、Ｂへの電圧印加を停止し、保持電極Ｋに電圧印加、ｔ１７で保持電極Ｋへの電圧印加を停止し、駆動電極Ｂ、Ｃに電圧印加、ｔ１８で駆動電極Ｂ、Ｃへの電圧印加を停止し、保持電極Ｋに電圧印加というように順次スイッチングすることで、可動子１７を、逆方向に移動させることができる。
【００４６】
なお、図３、図４で説明した可動子電極、固定子電極の形状、電極パタン、スイッチング制御は、一例を示したものであり、その他の公知の電極の形状、電極パタン、スイッチング制御を用いて可動子を移動制御してもよいのは勿論である。
【００４７】
図５は、可動子１７の位置と、ズーム光学系である第１レンズ１１、第２レンズ１２の変倍動作を示す図である。同図は、紙面左側を物体側、紙面右側を像面側とし、可動子１７のカム部１７ｎ、１７ｍに係合した、上述のピン１１ｐ、ピン１２ｐの位置と、この時の第１レンズ１１、第２レンズ１２の位置関係を示した図である。同図（ａ）、（ｂ）は広角端（ワイド端）時、同図（ｃ）、（ｄ）は中間画角（ミドル）時、同図（ｅ）、（ｆ）は望遠端（テレ端）時を示している。
【００４８】
同図（ａ）に示す位置でピン１１ｐ、ピン１２ｐが、可動子１７に形成されたカム部１７ｎ、１７ｍにそれぞれ係合している時、同図（ｂ）に示すように、第１レンズ１１と第２レンズ１２が、大きな間隔で位置し、広い画角を有する広角端となる。
【００４９】
可動子１７が、前述の方法で矢印方向に移動させられ、同図（ｃ）に示す位置でピン１１ｐ、ピン１２ｐが、可動子１７に形成されたカム部１７ｎ、１７ｍにそれぞれ係合している時、同図（ｄ）に示すように、第１レンズ１１は像面側にやや後退し、第２レンズ１２は物体側に繰り出され、中間画角（ミドル）になる。
【００５０】
可動子１７が、更に矢印方向に移動させられ、同図（ｅ）に示す位置でピン１１ｐ、ピン１２ｐが、可動子１７に形成されたカム部１７ｎ、１７ｍにそれぞれ係合している時、同図（ｆ）に示すように、第１レンズ１１は物体側へ繰り出され、第２レンズ１２は更に物体側に繰り出されて接近し、望遠端（テレ端）となる。
【００５１】
以上説明したように、静電アクチュエータを構成する可動子にカム部を形成し、光学系に、このカム部と係合する係合部を一体的に形成し、可動子を光軸と異なる方向に移動させ、これにより係合した光学系を光軸方向に移動させるよう構成することで、レンズ群の移動に際して画像がぶれず、円滑なズーミングを可能とできる。また、単一の可動子で複数のレンズ群を簡単な制御で、同時且つ個々に独立して自由に移動させることができる。
【００５２】
また、駆動のための静電アクチュエータを平面的に薄くすることができるため、携帯電話等の薄型の携帯端末に内蔵する場合に自由度が増加でき、種々のレイアウトが可能となる利点がある。
【００５３】
更に、固定子に、光学系の直進案内部の一部（図３の長孔１６ｋが相当）を形成することにより、部品点数の削減によるコストダウンと小型化も可能になる。
【００５４】
なお、第１レンズ１１と第２レンズ１２の２群構成の変倍動作で説明したが、本発明はこれに限らず、近接撮影時のフローティング機構として用いても良いし、１つのレンズ群に対しフォーカシング動作として適用してもよいし、３群以上の変倍動作にも適用可能である。また、各群がそれぞれ複数のレンズで構成された光学系にも適用可能なのは言うまでもない。
【００５５】
更に、可動子に形成するカム形状を、ズーミングのためのカム形状で説明したが、ズーミングのためのカム形状とフォーカシングのためのカム形状を交互に形成して変倍と焦点合わせの双方をこのカム部でおこなうようにした、カム形状に形成してもよいのは勿論である。
【００５６】
図６は、本発明に係る光学装置を備えたファインダ２００の概略構成を示す斜視図である。同図は、本発明に係る光学装置を備えたファインダ２００の主要部を抜き出して描いたものであり、各部材を保持する筐体等は省略して示している。このファインダ２００は実像式のファインダである。
【００５７】
同図において、２１はファインダ第１レンズ（以下Ｆ第１レンズと称す）、２２はファインダ第２レンズ（以下Ｆ第２レンズと称す）、２３はファインダ第３レンズ（以下Ｆ第３レンズと称す）、２４はファインダ第４レンズ（以下Ｆ第４レンズと称す）であり、この４枚構成の光学系で、ズーム光学系５０が構成されている。このズーム光学系５０の後方に、３つの反射面を有したプリズム２７と１枚の反射鏡２９で構成された正立系を介し、接眼レンズ３０が配置された、実像式ズームファインダである。
【００５８】
ズーム光学系５０の結像面には、撮影範囲に合わせて視野マスク２８が配置されている。このズーム光学系５０のうち、Ｆ第１レンズ２１とＦ第４レンズ２４は、固定レンズであり、Ｆ第２レンズ２２とＦ第３レンズ２３が、独立して移動し変倍を行うようになっている。
【００５９】
Ｆ第２レンズ２２、Ｆ第３レンズ２３には、それぞれガイド筒２２ｇ及び２３ｇが一体的に形成されており、このガイド筒２２ｇ及び２３ｇには、それぞれピン２２ｐ及び２３ｐが一体的に形成されている。更に、ガイド筒２２ｇ及び２３ｇには、光軸Ｏに略平行にガイド軸２５が貫通して組み付けられる。一方のガイド軸２５とガイド筒２２ｇ及び２３ｇは嵌合されており、他方のガイド軸２６には、Ｆ第２レンズ２２、Ｆ第３レンズ２３から、それぞれ回り止め２２ｍ、２３ｍが係合している。このため、Ｆ第２レンズ２２とＦ第３レンズ２３は、ガイド軸２５に沿って、即ち、光軸方向に独立して移動することが可能となっている。
【００６０】
３１及び３３は静電アクチュエータの固定子であり、この固定子３１及び３３の間に可動子３２が配置されている。可動子３２には前述と同様にカム部３２ｍ、３２ｎが形成されている。即ち、同図の固定子３１が図３に示す固定子１６に相当し、固定子３３が図３に示す固定子１８に相当し、可動子３２が図３に示す可動子１７に相当するものである。
【００６１】
固定子３１には、光軸Ｏ及びガイド軸２５に略平行に長孔３１ｋが形成されており、ピン２２ｐ及び２３ｐはそれぞれ、この長孔３１ｋを貫通して、可動子３２に形成されたカム部３２ｎ、３２ｍに係合している。この長孔３１ｋの幅は、ピン２２ｐ及び２３ｐとは接することのないよう大きな幅で形成されている。
【００６２】
このように構成されたファインダ２００は、固定子３１と３３に挟まれた可動子３２が前述と同様に図示矢印方向に移動させられることにより、可動子３２のカム部３２ｎ、３２ｍと係合したピン２２ｐ及び２３ｐが移動し、これにより、Ｆ第２レンズ２２、Ｆ第３レンズ２３が移動して変倍がおこなわれることになる。
【００６３】
図７は、可動子３２の位置と、Ｆ第２レンズ２２、Ｆ第３レンズ２３の移動による変倍動作を示す図である。同図は、紙面左側を物体側、紙面右側を像面側とし、可動子３２のカム部３２ｎ、３２ｍに係合した、上述のピン２２ｐ、ピン２３ｐの位置と、この時のＦ第１レンズ２１、Ｆ第２レンズ２３、Ｆ第３レンズ２３、Ｆ第４レンズ２４、の位置関係を示した図である。同図（ａ）、（ｂ）は広角端（ワイド端）時、同図（ｃ）、（ｄ）は中間画角（ミドル）時、同図（ｅ）、（ｆ）は望遠端（テレ端）時を示している。
【００６４】
同図（ａ）に示す位置でピン２２ｐ、ピン２３ｐが、可動子３２に形成されたカム部３２ｎ、３２ｍにそれぞれ係合している時、固定のＦ第１レンズ２１とＦ第４レンズ２４に対し、Ｆ第２レンズ２２とＦ第３レンズ２３が、同図（ｂ）に示すような位置となり、広い画角を有する広角端となる。
【００６５】
可動子３２が、前述の方法で矢印方向に移動させられ、同図（ｃ）に示す位置でピン２２ｐ、ピン２３ｐが、可動子３２に形成されたカム部３２ｎ、３２ｍにそれぞれ係合している時、同図（ｄ）に示すように、Ｆ第２レンズ２２は物体側に繰り出され、Ｆ第３レンズ２３も物体側に繰り出され、中間画角（ミドル）になる。
【００６６】
可動子３２が、更に矢印方向に移動させられ、同図（ｅ）に示す位置でピン２２ｐ、ピン２３ｐが、可動子３２に形成されたカム部３２ｎ、３２ｍにそれぞれ係合している時、同図（ｆ）に示すように、Ｆ第２レンズ２２は更に物体側へ繰り出され、Ｆ第３レンズ２３はやや像面側に繰り込まれ、望遠端（テレ端）となる。
【００６７】
即ち、本発明の光学装置は、撮像装置のみならずズームファインダにも適用可能であり、ファインダに適用した場合には、撮影レンズと機械的連動機構が不要となり、撮像装置内で自由なレイアウトが可能となる。
【００６８】
なお、上述の実施の形態において説明した光学装置及びこれを備えた撮像装置並びに光学ファインダは、それぞれレンズ部にガイド筒及びピンを一体に形成したもので説明したが、レンズ部が固着されたレンズ枠を用い、このレンズ枠にガイド筒及びピンを形成してもよい。即ち、一体的とは、別部品であっても固着され、相互が独立した動作ができない１単位となっていることを意味するものである。
【図面の簡単な説明】
【００６９】
【図１】本発明に係る光学装置を備えた撮像装置の概略構成を示す斜視図である。
【図２】本発明に係る光学装置を備えた撮像装置の概略断面図である。
【図３】本発明に係る光学装置に使用される静電アクチュエータ部分の分解斜視図である。
【図４】固定子に形成された駆動電極、固定子に形成された保持電極により、可動子を駆動させる場合のシーケンスを示すタイムチャートである。
【図５】可動子の位置と、ズーム光学系である第１レンズ、第２レンズの変倍動作を示す図である。
【図６】本発明に係る光学装置を備えたファインダの概略構成を示す斜視図である。
【図７】可動子の位置と、Ｆ第２レンズ、Ｆ第３レンズの移動による変倍動作を示す図である。
【符号の説明】
【００７０】
１１  第１レンズ
１２  第２レンズ
１３  撮像素子
１４  プリント基板
１５  ガイド軸
１６  固定子
１７  可動子
１８  固定子
１９  フレキシブルプリント基板
２１  Ｆ第１レンズ
２２  Ｆ第２レンズ
２３  Ｆ第３レンズ
２４  Ｆ第４レンズ
２５  ガイド軸
２６  ガイド軸
２７  プリズム
２８  視野マスク
２９  反射鏡
３０  接眼レンズ
３１  固定子
３２  可動子
３３  固定子
１００  撮像装置
２００  ファインダ
【図１】
2005249814.tif 000003
【図２】
2005249814.tif 000004
【図３】
2005249814.tif 000005
【図４】
2005249814.tif 000006
【図５】
2005249814.tif 000007
【図６】
2005249814.tif 000008
【図７】
2005249814.tif 000009